(57)【特許請求の範囲】
【請求項１】
遊技の進行に係る遊技用電気部品と演出用電気部品とが設けられた遊技盤と、
遊技盤の背面に着脱自在に備えられ、遊技における演出を変動表示する表示装置と、
遊技の進行を制御し、遊技の進行に応じて遊技用電気部品の駆動制御を行うとともに、演出コマンドの出力を行う主制御基板と、
演出コマンドの受信に応じて演出用電気部品の駆動制御を行う演出制御基板とを備えた遊技機において、
遊技盤は、
遊技用電気部品を備えた遊技領域を有し、背面側が視認可能な透明部材によって構成されているベース板と、
ベース板の背面に取り付けられ、少なくとも演出用電気部品の全て及び演出制御基板からの配線と演出用電気部品への配線とを中継する演出用中継基板が取り付けられる取付部材とで構成され、
取付部材は、ベース板の背面に着脱可能に取り付けられ、表示装置を視認可能とするための貫通孔を設けた枠部と、枠部の貫通孔の下方領域の裏側に着脱可能に設けられた背面板とで構成されており、
前記枠部の前面および背面板の前面には、それぞれ演出用電気部品が備えられ、それぞれの演出用電気部品が、全体が透明部材によって構成されている前記ベース板を介して視認可能であり、
前記演出用中継基板は、前記枠部における下方領域の前後面に貫通した開口に取り付けられ、かつ背面板の前後面に貫通した開口に挿通して配設され、演出制御基板からの配線を接続するコネクタと、演出用電気部品からの配線が接続されるコネクタが、それぞれ取付部材の前後面に臨んでいることを特徴とする遊技機。
【請求項２】
主制御基板からの配線を中継する第１の遊技用中継基板と、第１の遊技用中継基板からの配線および遊技用電気部品からの配線を中継する第２の遊技用中継基板を、取付部材に取り付けたことを特徴とする請求項１に記載の遊技機。
【請求項３】
第２の遊技用中継基板は、取付部材に配設される演出用中継基板の背面側において、取付部材を構成している背面板に対して回動自在に軸支されるとともに着脱自在に取り付けられていることを特徴とする請求項２に記載の遊技機。
【請求項４】
第１の遊技用中継基板は、取付部材を構成している背面板の前後面に貫通した開口に取り付けられ、かつ枠部の前後面に貫通した開口に挿通して配設され、第２の遊技用中継基板の近傍に位置していることを特徴とする請求項３に記載の遊技機。
【発明の詳細な説明】
【技術分野】
【０００１】
本発明は、いわゆるパチンコ機と称される遊技機に関する。
【背景技術】
【０００２】
従来のパチンコ機は、例えば特許文献１に開示のように、遊技釘や役物などの遊技部材を設けて遊技盤を構成している透明板の背面に、演出用電気部品としてのＬＥＤ（Light Emitting Diode  以下、本明細書において同じ。）等の発光体や、遊技用電気部品としてのソレノイド等のアクチュエータを設けたスペーサが取り付けられ、それぞれ主制御基板や演出制御基板へ接続されているものが知られている。
【特許文献１】特開２００５−１３１３２４号公報
【発明の開示】
【発明が解決しようとする課題】
【０００３】
従来この種のパチンコ機の遊技盤を製造する場合、遊技盤を構成する透明板、スペーサ、遊技部材、遊技用電気部品、演出用電気部品などを一連の流れ作業工程によって取付・組み立てることによって作業効率の向上を図るものとしている。
【０００４】
しかし、従来この種の遊技盤を製造する過程において、上述した遊技部材などの各部材や各種電気部品の取付作業については、複数の作業者によってそれぞれの作業を分担させることで作業効率の向上が図れるが、例えば各種電気部品などの取付工程や配線接続工程などを十分に考慮に入れて製造工程を組まないと、その取り付け作業が煩わしくなったり、作業時間を大きく要したりとの不都合を招くことにもなりかねない。よって、そのような考慮がなされていないと、かえって人的コストや時間的コストが掛かり好ましくない場合がある。
本発明は、このような問題を解決するためになされており、その目的とするところは、遊技盤の製造工程において、製造コストの低減を図ることのできる遊技機および遊技盤の製造方法を提供することである。
【課題を解決するための手段】
【０００５】
このような目的を達成するために、第１の発明は、遊技の進行に係る遊技用電気部品（始動口スイッチ、始動口ソレノイドなど）と演出用電気部品（上部装飾ＬＥＤ基板４２、左右下部装飾ＬＥＤ４４，４５など）とが設けられた遊技盤１８と、遊技盤の背面に着脱自在に備えられ、遊技における演出を変動表示する表示装置と、遊技の進行を制御し、遊技の進行に応じて遊技用電気部品（始動口スイッチ、始動口ソレノイドなど）の駆動制御を行うとともに、演出コマンドの出力を行う主制御基板と、演出コマンドの受信に応じて演出用電気部品（上部装飾ＬＥＤ基板４２、左右下部装飾ＬＥＤ４４，４５など）の駆動制御を行う演出制御基板とを備えた遊技機において、遊技盤１８は、遊技用電気部品を備えた遊技領域を有し、背面側が視認可能な透明部材によって構成されているベース板１９と、ベース板１９の背面に取り付けられ、少なくとも演出用電気部品（上部装飾ＬＥＤ基板４２、左右下部装飾ＬＥＤ４４，４５など）の全て及び演出制御基板からの配線と演出用電気部品（上部装飾ＬＥＤ基板４２、左右下部装飾ＬＥＤ４４，４５など）への配線とを中継する演出用中継基板が取り付けられる取付部材３３とで構成され、取付部材は、ベース板の背面に着脱可能に取り付けられ、表示装置を視認可能とするための貫通孔を設けた枠部と、枠部の貫通孔の下方領域の裏側に着脱可能に設けられた背面板とで構成されており、前記枠部の前面および背面板の前面には、それぞれ演出用電気部品が備えられ、それぞれの演出用電気部品が、全体が透明部材によって構成されている前記ベース板を介して視認可能であり、前記演出用中継基板は、前記枠部における下方領域の前後面に貫通した開口に取り付けられ、かつ背面板の前後面に貫通した開口に挿通して配設され、演出制御基板からの配線を接続するコネクタと、演出用電気部品からの配線が接続されるコネクタが、それぞれ取付部材の前後面に臨んでいることを特徴とする遊技機としたことである。
【０００６】
本発明によれば、上述のような構成を採用したことで、演出用電気部品（上部装飾ＬＥＤ基板４２、左右下部装飾ＬＥＤ４４，４５など）を取付部材３３に取り付ける工程と、この取付部材３３をベース板１９に取り付ける工程に分けることができる。従って、取付部材３３における作業工程とベース板１９における作業工程を分けることができるとともに、演出用電気部品（上部装飾ＬＥＤ基板４２、左右下部装飾ＬＥＤ４４，４５など）における配線の取り回しが容易となるため、遊技盤１８の製造工程を効率化できる。また、取付部材３３に演出用電気部品としての電飾（上部装飾ＬＥＤ基板４２、左右下部装飾ＬＥＤ４４，４５など）などを取り付けても、ベース板１９にそのための開口等を設ける必要がなく、製造コストの低減を図ることができる。
【０００７】
第２の発明は、第１の発明において、主制御基板からの配線を中継する第１の遊技用中継基板と、第１の遊技用中継基板からの配線および遊技用電気部品からの配線を中継する第２の遊技用中継基板を、取付部材に取り付けたことを特徴とする遊技機としたことである。
【０００８】
本発明によれば、第１の発明の効果とともに、取付部材３３における部品取り付け領域の省スペース化が図れる。また、遊技用中継基板と演出用中継基板とを取付部材の一箇所に集約しているため、点検・補修作業が容易となる。
【０００９】
第３の発明は、第２の発明において、第２の遊技用中継基板は、取付部材に配設される演出用中継基板の背面側において、取付部材を構成している背面板に対して回動自在に軸支されるとともに着脱自在に取り付けられていることを特徴とする遊技機としたことである。
【００１０】
本発明によれば、第２の発明の効果とともに、第２の遊技用中継基板５５と演出用中継基板４０とを一箇所に集約しているため、点検・補修作業が容易となるともに、演出用中継基板４０を容易に開放することができるため、演出用中継基板４０の点検・補修作業が容易となる。
【００１１】
第４の発明は、第３の発明において、第１の遊技用中継基板は、取付部材を構成している背面板の前後面に貫通した開口に取り付けられ、かつ枠部の前後面に貫通した開口に挿通して配設され、第２の遊技用中継基板の近傍に位置していることを特徴とする遊技機としたことである。
【発明の効果】
【００１５】
本発明によれば、遊技盤の製造工程において、製造コストの低減を図ることのできる遊技機および遊技盤の製造方法を提供することができる。
【発明を実施するための最良の形態】
【００１６】
以下、本発明の一実施形態について説明する。なお、本実施形態は本発明の一例にすぎずなんらこれに限定解釈されるものではなく、本発明の範囲内で設計変更可能である。
【実施例１】
【００１７】
図１は、本発明を適用したパチンコ機の一例を示す概略斜視図である。
パチンコ機は、図１に示すように、外枠１の前面に内枠（ベースドア）２が回動自在に軸支され、該内枠２の前面には、始動入賞口や遊技釘などの種々の遊技部材などを備えて遊技領域Ａを構成した遊技盤１８が着脱自在に装着され、そして、遊技盤１８の背面には図示しない表示装置が着脱自在に装着されている。
【００１８】
また、遊技盤１８の背面側には、遊技の進行を制御し、遊技の進行に応じて後述する遊技用電気部品の駆動制御を行うとともに、演出コマンドの出力を行う図示しない主制御基板と、演出コマンドの受信に応じて後述する演出用電気部品の駆動制御を行う図示しない演出制御基板などを備えた図示しない基板ベースが装着されている。なお、表示装置は特に限定されず本発明の範囲内で設計変更可能である。また、表示装置を備えない遊技機であっても本発明の範囲内である。
【００１９】
そして、前記内枠２の前面には、図１に示すように、ガラス板４を嵌めたガラス扉（フロント扉）３が前記内枠２の前面側の一側を回動軸（ヒンジ部）として回動自在に軸支され、該ガラス扉３の閉鎖時には、該ガラス扉３の前側からガラス板４を介して前記遊技盤１８が視認される。
また、本実施例では、図１に示すように、前記ガラス扉３の配設位置よりも上方の内枠２の前面には、音による演出装置としてのスピーカ８が備えられている。
【００２０】
そして、前記ガラス扉３を軸支した内枠２の前面下部には、後述する遊技球供給皿５の満杯時に遊技球受入口５ａの内方で溢れ出た球を排出する下皿６が備えられている。
また、図１で示す符号７は、遊技球を遊技領域へ向けて発射する発射装置のハンドルで、該ハンドル７のレバー７ａを時計回り方向に回転させることにより発射停止スイッチがONとなり、駆動する図示しない発射ソレノイド駆動により槌先が作動して、遊技球供給皿５から供給された遊技球を叩打して遊技球を遊技盤１８に備えられた遊技領域Ａに打ち出す。
【００２１】
本発明は、遊技機を構成する遊技盤１８に特徴的な構成を有するものであるため、以下、遊技盤１８の一実施例について図２乃至図１２に基いて詳細に説明し、その他の構成についての説明は上述の程度に留めるものとする。
【００２２】
遊技盤１８は、遊技領域Ａを有し、遊技の進行に係る各種遊技部材及び遊技用電気部品が設けられるベース板１９と、該ベース板１９の背面側に取り付けられ、演出用電気部品が設けられる取付部材３３とからなり、これらベース板１９側の製造と取付部材３３側の製造とが別個に執り行われている。以下、それぞれの構成について説明した後に、それぞれの製造工程について説明する。
【００２３】
ベース板１９は、図２乃至図５に示すように、例えば本実施例では、そのベース板１９全体を透光性部材（透明部材）で形成して裏側が視認可能とし、各種遊技部材及び遊技用電気部品が設けられている。
【００２４】
ベース板１９は、例えば透光性部材で形成した領域を少なくとも一部に有するもので、該透光性部材で形成した領域を介して裏側に配設される表示装置が臨む構成とするものであれば本実施例の範囲である。
ベース板１９を形成する透光性部材は、例えば、遊技部材及び遊技用電気部品を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂、ポリアリレート樹脂などが任意に選択される。また、樹脂以外の材質、例えばガラスなどを採用することも本発明の範囲内であり設計変更可能である。
ベース板１９の全体を構成する透光性部材は無色透明とするが、有色透明部材を採用することも可能である。また仕様によってはベース板１９を無色透明部材と有色透明部材とで構成したり、ベース板１９に色彩・模様を施すことも可能であり、背面側に備えられる表示装置による演出に悪影響を及ぼさない範囲内で設計変更可能である。この場合、模様は無色透明の線図が好ましいが、ベース板１９の背面側に配設される表示装置の構成によっては有色模様を施すことも可能である。
なお、本発明では、ベニヤ合板等の非透光性部材からなるものとしてもよく特に限定はされない。
【００２５】
遊技部材は、図２乃至図５に示すように、パチンコ機において遊技に必要な全ての部材を言い、例えば、表側の遊技領域Ａを区画すると共に、該表側の遊技領域Ａに発射ソレノイドから打ち出される遊技球を導くガイドレール１７、前記表示装置の変動表示を起動すると共に、大当たりとするか否かの抽選処理を起動する第１始動口１２ａ、チューリップ式の普通電動役物からなる第２始動口１２ｂ、大当たり時に開放するアタッカと称する第一種特別電動役物の大入賞口１３、一般入賞口となる左右の入賞口１４、通過ゲート１５、遊技領域Ａでの入賞を逃したアウト球を排出するアウト口１６、ベース板１９に打たれている図示しない多数の遊技釘などが一例として挙げられる。
【００２６】
また、本実施例では、次の遊技部材も備えている。
図中、符号２０は、基部２０ａの上部から前方に向けて突出するように設け、表側の遊技領域Ａを転動する遊技球が当たり、遊技球の流下方向（図１の矢印Ｗ方向）を転動案内する湾曲板状の遊技球誘導板（天通路ともいう）である。
図中、符号２１は、表側の遊技領域Ａに一部を突出すると共に、ベース板１９の裏側に一部を突出して遊技球が転動する裏側の遊技領域Ａ１を構成するワープユニットである。
また、特に限定されるものではないが、これら遊技部材の全てを透明部材で形成してもよい。
【００２７】
本実施例のワープユニット２１は、表側の遊技領域Ａに突設して設けられ、遊技領域Ａに打ち出された遊技球を受け入れるワープ入口（受入れ口）２２と、該ワープ入口２２と連通してベース板１９の裏側に突設して設けられたワープ出口２３と、ワープ出口２３からベース板１９裏側の遊技領域Ａ１へと排出した遊技球を、前記ベース板１９に対して左右方向に転動案内する裏側転動部（裏側ステージともいう）２４と、該裏側転動部２４を転動した遊技球を受け入れるとともに、表側の遊技領域Ａと排出する開口２５ｂ及び転動面２５ｃを有する表側転動部（表側ステージともいう）２５とで構成されている。また、この表側転動部２５には、受け入れられて転動する遊技球を、遊技領域Ａの所定領域へと排出する３箇所の排出領域を設けている。中央の排出領域２６ａは、左右の排出領域２６ｂ，２６ｂよりも隆起させて小高い丘状態とするとともに、その中央位置には落下孔２７を設けており、この落下孔２７は、表側転動部２５の遊技領域Ａに臨む正面部２５ａに形成される排出孔２８と連通している。排出孔２８は、所定の入賞口（第１始動口１２ａ）の直上に位置するように設けられており、この排出孔２８から遊技領域Ａへと排出された遊技球が、例えば第１始動口１２ａへと入球し易いように構成されている。
左右の排出領域２６ｂ，２６ｂは、表側転動部２５の正面部２５ａから遊技領域Ａへと遊技球が落下するように傾斜状に形成されている。なお、本実施例のワープユニットは図示例に限定されず本発明の範囲内で設計変更可能である。
【００２８】
ベース板１９に設けられる遊技用電気部品は、例えば本実施例によると、図３に示すように、前記第１始動口１２ａと第２始動口１２ｂの裏側から見てそれぞれの重なる位置に配設された始動口ユニット３０に備えられ、始動口の所定の通過領域を遊技球が通過したことを検出する始動口スイッチ及び始動口に備えられる一対の羽根を開閉させる始動口ソレノイド、前記通過ゲート１５に備えられる通過ゲートスイッチ３１、前記大入賞口１３を開閉駆動させる大入賞口ソレノイド３２及びカウントスイッチで、それぞれがベース板１９の所定位置に設けられている。
そして、それぞれが後述する第２の遊技用中継基板５５に配線を介して接続されるとともに、主制御基板に配線を介して接続されている第１の遊技用中継基板５４に配線を介して接続される。
【００２９】
取付部材３３は、図６に示すように、ベース板１９の背面に着脱可能に取り付けられ、本実施例によると、図示しない表示装置を視認可能とするための貫通孔３４を設けた枠部３５と、該枠部３５の貫通孔３４の下方領域３５ｋの裏側に着脱可能に設けられる背面板（入賞球通路カバー）３９とで構成されている。
そして本実施例では、この取付部材３３の所定位置に、演出用電気部品の全て及び演出制御基板からの配線と演出用電気部品への配線とを中継する演出用中継基板４０を設けるとともに、さらに本実施例では、前述のようにベース板１９に取り付けられた遊技用電気部品からの配線と主制御基板からの配線とを中継する第１の遊技用中継基板５４及び第２の遊技用中継基板５５と、第２の遊技用中継基板５５に接続される遊技用電気部品の一部（本実施例では一般入賞口スイッチ４１）が設けられている。
【００３０】
枠部３５は、図６及び図７に示すように、前記貫通孔３４の下方領域３５ｋの略中央位置に、前後方向で貫通した大入賞口１３を設ける開口３６と、その開口３６の下方に、前後方向で貫通したアウト口１６を設ける開口３７が形成されている。
また、第１始動口１２ａを貫通し、その周囲を覆う所定形状のカバー体３８が、枠部３５の大入賞口１３用の開口３６の上端所定位置に設けられる。カバー体３８の中央は前後方向に貫通し、第１始動口１２ａを貫通させて備える開口３８ａである。このカバー体３８は、後述する左右の中央装飾ＬＥＤ基板４６，４６を覆うランプレンズとして機能する。
【００３１】
背面板（入賞球通路カバー）３９は、図６及び図８に示すように、枠部３５の下方領域３５ｋの上面縁３５ｈよりも上方に延びた壁部３９ａを備え、その前面側には、左右端付近から下り階段状に形成された左右の入賞球通路４７，４８を設けており、その左右の入賞球通路４７，４８の間の領域には、前記枠部３５に設けた大入賞口１３用の開口３６と合致する開口３９ｂが設けられている。
【００３２】
本実施例では、演出用電気部品として次の構成が設けられている。
まず、枠部３５には、図６、図７、図９に示すように、その前面側で、貫通孔３４の上方領域に設けられる上部装飾ＬＥＤ基板４２と、同じく貫通孔３４の下方領域３５ｋ（本実施例では、図に示す左側の領域）に備えられる特別図柄・普通図柄・保留球などを表示する図柄表示ＬＥＤ基板４３、そして、その下方領域３５ｋの左右所定位置に設けられる左下部装飾ＬＥＤ基板４４、右下部装飾ＬＥＤ基板４５、及び演出用中継基板４０とが設けられる。
これら基板のうち、図柄表示ＬＥＤ基板４３は主制御基板によって制御されるＬＥＤが取り付けられる基板であるが、その他は演出制御基板によって制御されるＬＥＤが取り付けられる基板である。
【００３３】
演出用中継基板４０は、図２、図３、図９乃至図１２に示すように、コネクタ４０ａ〜４０ｅが基板の両面に実装されており、表面側には演出制御基板から延出される配線（ハーネス）を接続するコネクタ４０ａが、裏面側には前記各ＬＥＤ基板４２〜４５から延出される配線が接続されるコネクタ４０ｂ〜４０ｅが設けられている。
そして、枠部３５の演出用中継基板４０の取付位置には、前後面に貫通した開口３５ａが設けられており、この開口３５ａを介して演出用中継基板４０が取り付けられており、かつ前記コネクタ４０ａが枠部３５の表側に臨み、コネクタ４０ｂ〜４０ｅが枠部３５の裏側に臨むようになっている。
【００３４】
上部装飾ＬＥＤ基板４２、図柄表示ＬＥＤ基板４３、左下部装飾ＬＥＤ基板４４、右下部装飾ＬＥＤ基板４５の裏面側には、図７乃至図１２に示すように、それぞれコネクタ４２ａ，４３ａ，４４ａ，４５ａが実装されており、それら各ＬＥＤ基板４２〜４５を取り付ける枠部３５の取付位置には、それぞれ前後面に貫通した開口３５ｂ〜３５ｅが設けられており、この開口３５ｂ〜３５ｅを介して前記コネクタ４２ａ〜４５ａが、枠部３５の裏側に臨むようになっている。
そして、上部装飾ＬＥＤ基板４２、左下部装飾ＬＥＤ基板４４、右下部装飾ＬＥＤ基板４５のそれぞれの前面側を覆うように、所定形状のランプレンズ５１，５２，５３がそれぞれ枠部３５の前面側所定位置に取り付けられている（図９参照）。
【００３５】
背面板（入賞球通路カバー）３９には、図８に示すように、第１始動口１２ａを貫通して備える切欠き部３９ｆを、壁部３９ａの略中央領域で、かつ上端から下方に向けて所定領域切欠き形成し、その左右両側に、演出制御基板によって制御される中央装飾ＬＥＤ基板４６，４６を設けている。この中央装飾ＬＥＤ基板４６は、基板の表面側にＬＥＤが、裏面側にコネクタ４６ａが実装され、背面板（入賞球通路カバー）３９の開口３９ｃを介して前面側にＬＥＤが、そして裏面側にコネクタ４６ａが臨むように取り付けられている。
【００３６】
そして、図６及び図８に示すように、背面板（入賞球通路カバー）３９の前面側に設けられた入賞球通路４７，４８内に、一般入賞口１４への入賞を検出する一般入賞口スイッチ４１が設けられている。また、背面板（入賞球通路カバー）３９の背面視右端（正面視で左端）には開口３９ｄが設けられており、該開口３９ｄに主制御基板から延出される配線が接続される第１の遊技用中継基板５４が設けられている。
【００３７】
第１の遊技用中継基板５４は、図２、図６乃至図１２に示すように、主制御基板から延出された配線が接続される第１のコネクタ５４ａと、第２の遊技用中継基板５５から演出される配線が接続される第２のコネクタ５４ｂが実装されている。
そして、背面板（入賞球通路カバー）３９の背面側の所定位置には、前記第２の遊技用中継基板５５が設けられている。
前記一般入賞口スイッチ４１は、配線を介して第２の遊技用中継基板５５に接続される。また、中央装飾ＬＥＤ基板４６，４６は、演出用中継基板４０に配線を介して接続される。
【００３８】
第２の遊技用中継基板５５は、図１１に示すように、前記各遊技用電気部品（各始動口スイッチ、各始動口ソレノイド、各通過ゲートスイッチ３１，３１、大入賞口ソレノイド３２、図柄表示ＬＥＤ基板４３及びカウントスイッチなど）から延出された配線を接続するコネクタ５５ｂ，５５ｃ，５５ｄ，５５ｅ，５５ｆ，５５ｇ，５５ｈ，５５ｉ，５５ｊ，５５ｋなど、及び前記第１の遊技用中継基板５４から延出された配線を接続するコネクタ５５ａが実装されている。
【００３９】
本実施例において第２の遊技用中継基板５５は、背面板（入賞球通路カバー）３９に対して着脱自在に取り付けられている。
本実施例の第２の遊技用中継基板５５を図１１に基いて具体的に説明すると、各遊技用電気部品から延出された配線が接続されるコネクタ５５ｂ，５５ｃ，５５ｄ，５５ｅ，５５ｆ，５５ｇ，５５ｈ，５５ｉ，５５ｊ，５５ｋなど、及び第１の遊技用中継基板５４から延出された配線が接続されるコネクタ５５ａを背面側に実装した基板が、背面視矩形枠状の取付ベース５６に取り付けられ、該取付ベース５６の下端縁５６ａ，５６ａが背面板（入賞球通路カバー）３９に対して回動自在に軸支（軸支部５７，５７）されるとともに、背面板（入賞球通路カバー）３９の所定位置に立上げ形成されている弾性係止部材５８，５９によって着脱自在に係止される構造が採用されている。
【００４０】
弾性係止部材５８，５９は、それぞれ樹脂材にて細板状に立ち上げられた弾性縦片５８ａ，５９ａと、該縦片５８ａ，５９ａの先端から直交方向に延設された係止片５８ｂ，５９ｂとで構成されており、それぞれの係止部材５８，５９の弾性によって所定位置に着脱可能に固定されている。
【００４１】
また、第２の遊技用中継基板５５は、本実施例によると、取付ベース５６の内周縁に備えた複数個の弾性係止片５６ｂ…によって、着脱可能に係止されている。
【００４２】
ここで、本実施例の遊技盤１８の製造工程について説明する。
【００４３】
本発明の遊技盤１８の製造工程は、大きく分けて、「（１）取付部材３３の製造工程」、「（２）ベース板１９の製造工程」、「（３）ベース板１９と取付部材３３との合体工程」、そして、「（４）第２の配線接続工程」とから構成されている。
なお、本実施例では、「（１）取付部材３３の製造工程」→「（２）ベース板１９の製造工程」→「（３）ベース板１９と取付部材３３との合体工程」→「（４）第２の配線接続工程」の時系列で順に工程を経て遊技盤１８を製造する実施の一形態であるが、本発明は、このような時系列で各工程を経ることに限定解釈されるものではなく、「取付部材の製造工程」と「ベース板の製造工程」を前後入れ替えて製造するものであっても、同時進行するものであってもよく本発明の範囲内で適宜設計変更可能である。順に各工程を説明する。
【００４４】
「（１）取付部材３３の製造工程」
取付部材３３の製造工程は、本実施例では、「(1-1)演出用電気部品及び演出用中継基板４０の取付工程」、「(1-2)第１の配線接続工程」、「(1-3)遊技用中継基板の取付工程」を経てなる。なお、本実施例では、「(1-1)演出用電気部品及び演出用中継基板４０の取付工程」→「(1-2)第１の配線接続工程」→「(1-3)遊技用中継基板の取付工程」の順に時系列で工程を経ることとしているが、これになんら限定解釈されるものではない。
【００４５】
「(1-1)演出用電気部品及び演出用中継基板４０の取付工程」
まず、取付部材３３を構成している枠部３５の前面側に、上部装飾ＬＥＤ基板４２、左下部装飾ＬＥＤ基板４４、右下部装飾ＬＥＤ基板４５、図柄表示ＬＥＤ基板４３、及び演出用中継基板４０をそれぞれ取り付ける。
この時、それぞれの基板４２〜４５は、それぞれに備えられているＬＥＤが枠部３５の前面側に臨み、かつそれぞれに設けられているコネクタ４２ａ〜４５ａが枠部３５の背面側に臨むように、枠部３５の各所定位置に設けたそれぞれの開口３５ｂ〜３５ｅに取り付けられる。
また、演出用中継基板４０は、前面側に演出制御基板からの配線を接続するコネクタ４０ａが臨み、かつ背面側に上部装飾ＬＥＤ基板４２、左下部装飾ＬＥＤ基板４４、右下部装飾ＬＥＤ基板４５からの配線が接続されるコネクタ４０ｂ、４０ｃ、４０ｄ、及び背面板３９に取り付けられる中央装飾ＬＥＤ基板４６，４６からの配線が接続されるコネクタ４０ｅが臨むように取り付けられる。
【００４６】
次に、上部装飾ＬＥＤ基板４２、左下部装飾ＬＥＤ基板４４、右下部装飾ＬＥＤ基板４５の前面側をそれぞれ覆うように、枠部３５の前面側に、各ランプレンズ５１，５２，５３が取り付けられる。
そして、第１始動口１２ａの周囲を覆うためのカバー体３８が取り付けられる。
【００４７】
そして次に、背面板（入賞球通路カバー）３９の上部中央左右位置に、左右の中央装飾ＬＥＤ基板４６，４６を取り付け、そして左右の一般入賞口１４…用の入賞球通路４７，４８に、それぞれ一般入賞口用スイッチ４１，４１を取り付ける。この時、中央装飾ＬＥＤ基板４６，４６は、それぞれに備えられているＬＥＤが背面板（入賞球通路カバー）３９の前面側に臨み、かつコネクタ４６ａ，４６ａが該背面板３９の背面側に臨むように、該背面板３９の各所定位置に設けた開口３９ｃ，３９ｃに取り付けられる。
なお、本実施例では、本工程中において、背面板（入賞球通路カバー）３９の背面視で右端部の開口３９ｄに、第１の遊技用中継基板５４を取り付ける。
【００４８】
「(1-2)第１の配線接続工程」
そして、上述の工程終了後、上述の通り構成した背面板（入賞球通路カバー）３９を、枠部３５の背面側に取り付け、上部装飾ＬＥＤ基板４２、左下部装飾ＬＥＤ基板４４、右下部装飾ＬＥＤ基板４５、中央装飾ＬＥＤ基板４６，４６から延出される図示しない配線を、取付部３３の背面（枠部３５の背面と背面板３９の背面）の所定位置に設けた係止部６０…によって係止しながら配線廻しを行い、そしてそれら配線の他端側を演出用中継基板４０の各コネクタ４０ｂ〜４０ｅに接続する。なお、本実施例では、中央装飾ＬＥＤ基板４６，４６はそれぞれの間を配線で接続し、一方の基板４６のコネクタ４６ａと演出用中継基板４０のコネクタ４０ｅとが配線を介して接続されている。
【００４９】
「(1-3)遊技用中継基板の取付工程」
上述のように演出用中継基板４０への配線の接続が完了したら、次に、第２の遊技用中継基板５５をその取付ベース５６を介して、演出用中継基板４０の背面側で、かつ背面板（入賞球通路カバー）３９の軸支部５７，５７で回転自在に取り付ける。
そして、前記第１の遊技用中継基板５４のコネクタ５４ｂと第２の遊技用中継基板５５のコネクタ５５ａとを配線接続する。
【００５０】
次に、ベース板１９側の製造工程について説明する。
【００５１】
「（２）ベース板１９側の製造工程」
上述した遊技領域Ａを構成する各遊技部材（ガイドレール１７、第１始動口１２ａ、第２始動口１２ｂ、大入賞口１３など）及び各遊技用電気部品（始動口スイッチ、始動口ソレノイドを備えた始動口ユニット３０、大入賞口ソレノイド３２など）を、ベース板１９の所定位置に取り付ける。
【００５２】
「（３）合体工程」
前記ベース板１９側の製造工程によって、各遊技部材や遊技用電気部品を設けて構成したベース板１９の背面に、前記取付部材３３側の製造工程によって、各演出用電気部品などを設けて構成した取付部材３３を合体させて取り付ける。取り付け方法については特に限定しないが本発明の範囲内で周知の着脱可能な固定方法が採用可能である。
【００５３】
「（４）第２の配線接続工程」
そして、各遊技用電気部品及び図柄表示ＬＥＤ基板４３から延出されたそれぞれの配線を、それぞれ所定の係止部６０…によって係止しながら配線廻しを行い、背面板３９の背面側に着脱可能に設けた第２の遊技用中継基板５５の各コネクタ５５ｂ，５５ｃ，５５ｄ，５５ｅ，５５ｆ，５５ｇ，５５ｈ，５５ｉ，５５ｊ，５５ｋなどに接続する。
【００５４】
以上のようにして完成した遊技盤１８は、遊技機本体枠の前面側に取り付けられる。
そして、主制御基板から延出される配線を第１の遊技用中継基板５４のコネクタ５４ａへと接続し、演出制御基板から延出される配線を演出用中継基板４０のコネクタ４０ａへと接続する。これら接続工程は、遊技盤１８の前面側から行う。
【００５５】
「変形例」
なお、上述の実施例では、取付部材３３側に、主制御基板によって制御あるいは入力される遊技用電気部品を取り付けるものとしているが、演出制御基板によって制御される演出用電気部品のみ取り付けるように構成することもでき、本発明の範囲内である。
また、少なくとも演出用電気部品のすべて及び演出用中継基板４０が取付部材３３側に取り付けられる構成であればよく、本発明の範囲内で設計変更可能である。
【図面の簡単な説明】
【００５６】
【図１】本発明遊技機の一実施例の概略を示す全体斜視図。
【図２】遊技盤の一実施例で、透明なベース板を介して背面側に備えた部材が見えている状態を示す概略正面図である。
【図３】遊技盤の一実施例で、透明なベース板を介して正面側に備えた部材が見えている状態を示す概略背面図である。
【図４】遊技盤の一実施例で、ベース板と取付部材が分離されている状態を示す概略分解斜視図である。
【図５】ベース板の一実施例で、透明なベース板を介して正面側に備えた部材が見えている背面側から見た概略斜視図である。
【図６】取付部材の概略分解斜視図である。
【図７】取付部材を構成する枠部の概略背面図である。
【図８】取付部材を構成する背面板の概略図で、（ａ）は正面図、（ｂ）は背面図である。
【図９】取付部材の概略正面図である。
【図１０】取付部材の概略背面図である。
【図１１】図１０の要部概略拡大図である。
【図１２】第２の遊技用中継基板を取り外し、演出用中継基板の全体が露呈されている図１０の要部概略拡大図である。
【符号の説明】
【００５７】
１２ａ  第１始動口
１２ａ  第２始動口
１３  大入賞口
１４  一般入賞口
１５  通過ゲート
１８  遊技盤
１９  ベース板
３０  始動口ユニット
３１  ゲートスイッチ
３２  大入賞口ソレノイド
３３  取付部材
３５  枠部
３９  背面板（入賞球通路カバー）
４０  演出用中継基板
４２  上部装飾ＬＥＤ基板
４３  図柄表示ＬＥＤ基板
４４  左下部装飾ＬＥＤ基板
４５  右下部装飾ＬＥＤ基板
４６  中央装飾ＬＥＤ基板
５４  第１の遊技用中継基板
５５  第２の遊技用中継基板
【図１】
0004824483.tif 000002
【図２】
0004824483.tif 000003
【図３】
0004824483.tif 000004
【図４】
0004824483.tif 000005
【図５】
0004824483.tif 000006
【図６】
0004824483.tif 000007
【図７】
0004824483.tif 000008
【図８】
0004824483.tif 000009
【図９】
0004824483.tif 000010
【図１０】
0004824483.tif 000011
【図１１】
0004824483.tif 000012
【図１２】
0004824483.tif 000013